(57)【要約】【課題】ビルなどの施設の外部からの要求に応じて、施設内の各機器の計測データに基づいた作成された情報を外部に提供することができる監視システムを提供することにある。【解決手段】ネットワーク３０を介して情報を提供できるサーバ２１を有する監視システム１０において、ネットワーク３０を介してコンピュータ３１からの要求に応じて、サーバ２１はシステム１０のデータベース１６に蓄積されている計測データを抽出して指定の形式の情報を作成して提供する。このとき、サーバ２１は作成した情報を保存し、次に要求される情報として再利用できる場合には、当該保存された情報の情報加工処理を実行して提供する。【選択図】      図１
2010092362.tif 000002
【特許請求の範囲】
【請求項１】
施設に設置された機器の計測データに基づいて、当該機器の動作状態を監視する監視制御手段と、
ネットワークを介して接続されたコンピュータからの要求に応じて、前記計測データに基づいて作成した情報を前記コンピュータに提供するサーバとを有し、
前記サーバは、
前記コンピュータからの要求に応じた情報を、前記計測データを使用して指定の形式で作成する作成手段と、
前記指定の形式で作成した情報を保存する保存手段と、
前記コンピュータからの要求に応じた情報が前記保存手段に保存されている情報と同一部分を含む場合、前記保存手段に保存されている情報を使用して前記コンピュータからの要求に応じた情報を指定の形式で作成する情報加工手段と、
前記情報加工手段又は前記作成手段により作成された情報を前記コンピュータに提供する提供手段と
を含むように構成されていることを特徴とする監視システム。
【請求項２】
前記作成手段は、
前記監視制御手段を介して、前記コンピュータからの要求に応じた情報に含まれる項目毎の計測データを抽出し、
前記項目毎の計測データを指定の形式で編集した情報を作成するように構成されたことを特徴とする請求項１に記載の監視システム。
【請求項３】
前記情報加工手段は、
前記コンピュータから要求された情報が過去に作成した情報と同一項目を含むか否かを判定して、当該判定結果により同一項目を含む情報を前記保存手段から取得する手段と、
同一項目に対応する計測データを前記記憶手段から抽出して更新する手段とを含むことを特徴とする請求項１または請求項２のいずれか１項に記載の監視システム。
【請求項４】
前記提供手段は、
前記情報加工手段又は前記作成手段により作成された情報を、前記ネットワークを介して前記コンピュータがダウンロードできるように処理する手段を含むことを特徴とする請求項１から請求項３のいずれか１項に記載の監視システム。
【請求項５】
前記計測データは、前記施設に設置された照明機器や空調器を含む機器による周囲環境に関係する温度などの計測値を示すデータであり、
前記作成手段は、前記コンピュータからの要求に応じて、前記周囲環境の監視や分析に必要な項目毎の計測データを含む情報を指定の形式で編集して作成することを特徴とする請求項１から請求項４のいずれか１項に記載の監視システム。
【請求項６】
施設に設置された機器の計測データに基づいて、当該機器の動作状態を監視する監視制御手段を有し、ネットワークを介して接続されたコンピュータからの要求に応じて、前記計測データに基づいた情報を作成して前記コンピュータに提供する監視システムに適用する情報提供方法であって、
前記コンピュータからの要求に応じた情報を、前記計測データを使用して指定の形式で作成する作成処理と、
前記指定の形式で作成した情報を保存する処理と、
前記コンピュータからの要求に応じた情報が保存されている情報と同一部分を含む場合、前記保存されている情報を使用して前記コンピュータからの要求に応じた情報を指定の形式で作成する情報加工処理と、
前記情報加工処理又は前記作成処理により作成された情報を前記コンピュータに提供する処理と
を実行することを特徴とする情報提供方法。
【請求項７】
前記作成処理は、
前記監視制御手段を介して、前記コンピュータからの要求に応じた情報に含まれる項目毎の計測データを抽出し、
前記項目毎の計測データを指定の形式で編集した情報を作成するように構成されたことを特徴とする請求項６に記載の情報提供方法。
【請求項８】
前記情報加工処理は、
前記コンピュータから要求された情報が過去に作成した情報と同一項目を含むか否かを判定して、当該判定結果により同一項目を含む情報を前記保存された情報から取得し、
同一項目に対応する計測データを抽出して更新するように構成されていることを特徴とする請求項６または請求項７のいずれか１項に記載の情報提供方法。
【発明の詳細な説明】
【技術分野】
【０００１】
本発明は、例えばビルなどの施設に設置された機器の動作状態を監視する監視システムの情報提供技術に関する。
【背景技術】
【０００２】
近年、ビル等の施設（または建物）内に設置された各種の機器の稼動状況や、電力、水道、ガスの使用量に関係する機器の使用状況を監視する監視システムから、例えば、各フロア毎の室内温度や湿度などの環境に関する情報を、外部に提供するための対策やサービスが推進されている。
【０００３】
具体的には、例えばビル所有者や建物管理会社に対して、ビル内のエネルギーの消費状態を監視し、かつ省エネルギー対策に有効な情報を提供するための技術が提案されている（例えば、特許文献１を参照）。
【特許文献１】特開２００８−１０２７０９号公報
【発明の開示】
【発明が解決しようとする課題】
【０００４】
従来、ビル等の施設内に設置された監視システムでは、機器の稼動状況や使用状況（総称して機器の動作状態と表記する場合がある）を示す計測データが内部の記憶装置に蓄積されている。システムは、内部に蓄積した計測データを、日報や月報などの帳票形式で出力する。
【０００５】
しかしながら、日報・月報などの帳票形式の情報は、ビル管理担当者が機器を管理する目的として作成されるため、計測データ（ポイント）の名称順あるいは電気室単位などのように管理単位で出力される。このような情報では、例えばビルなどの改修計画を立案するために、事前に各機器の使用状況やビル内の環境状態を解析しなければならない設計者などには、利用し難い情報である。設計者は、帳票形式の情報の中から設計に必要な計測データを抽出するなどの煩わしい手間を要している。また、施設の外部の設計者は、当該帳票形式の情報を入手するためには、ビル管理担当者などから入手することが要求される。
【０００６】
そこで、本発明の目的は、ビルなどの施設の外部からの要求に応じて、施設内の各機器の計測データに基づいた作成された情報を外部に提供することができる監視システムを提供することにある。
【課題を解決するための手段】
【０００７】
本発明の観点は、ネットワークを介して情報を提供できるサーバを有する監視システムにおいて、ネットワークを介して外部のコンピュータからの要求に応じて、当該サーバが要求された情報を作成して提供する機能を備えた監視システムである。
【０００８】
本発明の観点に従った監視システムは、施設に設置された機器の計測データに基づいて、当該機器の動作状態を監視する監視制御手段と、ネットワークを介して接続されたコンピュータからの要求に応じて、前記計測データに基づいて作成した情報を前記コンピュータに提供するサーバとを有し、前記サーバは、前記コンピュータからの要求に応じた情報を、前記計測データを使用して指定の形式で作成する作成手段と、前記指定の形式で作成した情報を保存する保存手段と、前記コンピュータからの要求に応じた情報が前記保存手段に保存されている情報と同一部分を含む場合、前記保存手段に保存されている情報を使用して前記コンピュータからの要求に応じた情報を指定の形式で作成する情報加工手段と、前記情報加工手段又は前記作成手段により作成された情報を前記コンピュータに提供する提供手段とを含むように構成されている。
【発明の効果】
【０００９】
本発明によれば、ビルなどの施設の外部からの要求に応じて、施設内の各機器の計測データに基づいた作成された情報を外部に提供することができる監視システムを提供することができる。従って、監視システムから出力される帳票形式の情報を利用することなく、監視システムから必要な情報を容易に入手することが可能となるため、当該情報を有効に利用することができる。
【発明を実施するための最良の形態】
【００１０】
以下図面を参照して、本発明の実施形態を説明する。
【００１１】
（監視システムの構成）
図１は、本実施形態に関する監視システムの要部を示すブロック図である。
【００１２】
図１に示すように、監視システム１０は、例えばビルなどの施設の内部に設置されており、ローカルエリアネットワーク（ＬＡＮ）２０に接続された統合コントロール装置１１と、インターフェース１２と、複数のローカルコントローラ１３と、サーバ２１とを有する。なお、本実施形態では、施設としては通常のオフィスビルなどのビルを想定する。
【００１３】
統合コントロール装置１１は、複数のローカルコントローラ１３を統合制御する中央コントロールステーションに相当する。統合コントロール装置１１は、各ローカルコントローラ１３から、ビル内に設置された機器１５ａ，１５ｂの動作状態（稼動状況や使用状況）に応じた計測データを収集し、内部の記憶装置からなるデータベース（ＤＢ）１６に蓄積する監視機能を有する。また、統合コントロール装置１１は、各ローカルコントローラ１３に対して機器１５ａ，１５ｂの動作を制御するための制御信号を出力し、機器１５ａ，１５ｂの動作を通じてビル内の照明、空調、あるいはエレベータなどの環境を管理する管理機能を有する。
【００１４】
インターフェース１２は、いわゆるヒューマン・マシンインターフェース（ＨＭＩ）であり、オペレータの入力操作を行なうための入力装置や、統合コントロール装置１１から出力される情報を表示する出力装置から構成されている。各ローカルコントローラ１３はローカルコントロール・ステーション（ＬＣＳ）とも呼ばれており、複数の機器１５ａ，１５ｂをリモート入出力装置（ＲＩＯ）１４ａ，１４ｂを介して制御する。リモート入出力装置（ＲＩＯ）１４ａ，１４ｂはそれぞれ、対応する機器１５ａ，１５ｂを制御するための制御信号を出力し、また機器１５ａ，１５ｂからの計測信号を入力する。
【００１５】
また、各ローカルコントローラ１３は、ＲＩＯ１４ａ，１４ｂを介して各機器１５ａ，１５ｂの動作状態を示す計測信号を収集し、その計測信号をディジタル値に変換した計測データをＬＡＮ２０を通じて統合コントロール装置１１に伝送する。本実施形態では、便宜的に、１台のローカルコントローラ１３が、２台の機器１５ａ，１５ｂを制御する場合を想定する。機器１５ａ，１５ｂは、例えばビル内の各フロアに設置された照明機器や空調器である。
【００１６】
サーバ２１は、いわゆるＷｅｂサーバであり、ＬＡＮ２０を介して統合コントロール装置１１と接続し、かつ広域のネットワーク（例えばインターネット）３０を介してビルの外部に設置されているコンピュータ（ＰＣ）３１と接続し、それぞれとの間で情報の交換を行なう。本実施形態では、ＰＣ３１は、例えばビルの改修計画を立案する設計者が操作するパーソナルコンピュータであり、ビルの外部に設置されている。
【００１７】
（監視システムの動作）
以下、図２のフローチャート及び図３を参照して、本実施形態の監視システムの動作を説明する。
【００１８】
本実施形態では、ビルの改修計画を設計立案する設計者がＰＣ３１を操作することにより、ＰＣ３１から設計立案に必要な情報の要求をサーバ２１に対して行なう（ステップＳ１）。ここで、要求対象の情報とは、図３に示すように、例えばビル内のフロア毎の平均温度を示すビルの環境に関する環境情報である。ＰＣ３１は、サーバ２１に対して情報を作成するために必要な計測データ（ポイント）や期間（時間も含む）を指定する（要求１００に含まれる）。
【００１９】
サーバ２１は、ネットワーク３０を介したＰＣ３１からの要求（１００）に応じて、統合コントロール装置１１にアクセスする。具体的には、サーバ２１は、統合コントロール装置１１のＤＢ１６に蓄積されている計測データ群から、ＰＣ３１からの要求（１００）に応じた計測データ（１１０）を抽出する（ステップＳ２）。ここで、統合コントロール装置１１は、一定時間又は期間単位でローカルコントローラ１３をアクセスし、機器１５ａ，１５ｂから取得される計測データを時系列的にＤＢ１６に蓄積している。
【００２０】
次に、サーバ２１は、抽出した計測データを使用して、ＣＳＶ（Comma Separated Value）形式やＸＭＬ（Extensible Markup Language）形式などの形式からなる情報を作成する（ステップＳ３）。サーバ２１は、作成した情報を記憶装置（保存手段）に保存し、後述するように、ＰＣ３１からの再要求時に保存した情報を再利用する（ステップＳ４）。サーバ２１は、保存した後の情報を、ネットワーク３０を介してＰＣ３１に提供できるように処理する（ステップＳ５）。具体的には、ＰＣ３１は、サーバ２１に対してダウンロードを要求することにより、当該作成された情報（１２０）をネットワーク３０を介してダウンロードする。
【００２１】
ＰＣ３１は、ディスプレイ上にダウンロードされた情報を表示する。これにより、ビルの改修計画を設計立案する設計者は、ダウンロードされた情報を確認することにより、設計立案に役立てることができる。ここで、サーバ２１から提供される情報は、図３に示すように、例えばビルの各フロアにおいて、それらの東西南北の向き、指定した期間毎の平均温度、及び指定された期間での１日の時間帯毎の平均温度を示す環境情報である。このような環境情報により、ビルの改修計画を設計立案する設計者は、ビル内に設置された機器１５ａ，１５ｂの中で、例えば各フロアに設置された空調器の配置やその容量などの立案に利用することができる。また、当該環境情報が例えばビルの各フロアの明るさを示す情報の場合には、設計者は、ビル内に設置された機器１５ａ，１５ｂの中で、例えば各フロアに設置された照明機器の配置やその種類などの立案に利用することができる。
【００２２】
次に、同様に設計者がＰＣ３１を操作することにより、ＰＣ３１から設計立案に必要な情報の要求をサーバ２１に対して実行した場合に、サーバ２１は、記憶装置に保存している情報（環境情報）を再利用できるか否かを判定する（ステップＳ６のＹＥＳ，Ｓ７）。即ち、サーバ２１は、保存している情報のファイル名などに基づいて、ＰＣ３１から以前に要求された情報と同一項目を含む情報であるか否かを判定し、そうであれば保存している情報を取り出す。即ち、例えば図３に示すようなビルの各フロア毎の平均温度を示す環境情報の場合である。
【００２３】
サーバ２１は、保存している情報を取り出すと、項目毎に更新すべき計測データが必要であれば、統合コントロール装置１１のＤＢ１６に蓄積されている計測データ群から抽出して加工する（ステップＳ８）。例えば、図３に示す具体例において、ＰＣ３１から１Ｆフロアの期間の項目を１０月から１２月に変更する指示を含む場合、当該期間に該当する平均温度の計測データを、ＤＢ１６に蓄積されている計測データ群から該当する計測データを抽出して更新する。即ち、サーバ２１は、ＤＢ１６に蓄積されている計測データ群から必要な全ての計測データを抽出して新規に作成するのではなく、更新の必要な計測データのみを抽出し、既存の情報を加工してＰＣ３１から要求された情報を作成する情報加工処理を実行する。
【００２４】
サーバ２１は、加工した情報を記憶装置（保存手段）に保存し、ネットワーク３０を介してＰＣ３１に提供できるように処理する（ステップＳ９）。これにより、ＰＣ３１は、サーバ２１に対してダウンロードを要求することにより、当該加工された情報（１２０）をネットワーク３０を介してダウンロードすることができる。
【００２５】
以上のようにして本実施形態の監視システムであれば、例えばビルの改修計画を設計立案する設計者は、ネットワーク３０に接続されたＰＣ３１を操作することにより、ビル内の照明、空調等の環境に関する情報をサーバ２１から取得することができる。従って、設計者は、ネットワーク３０に接続されたＰＣ３１を介してサーバ２１から、必要な時に必要な情報を任意に取得することができるため、例えばビル管理担当者などから帳票を授受するための煩わしい手間を省くことができる。結果として、設計者は、設計立案に必要なビル内の環境状態を解析するなどの作業を効率的に行なうことができる。
【００２６】
さらに、サーバ２１は、ネットワーク３０に接続されたＰＣ３１からの要求に応じて、統合コントロール装置１１のＤＢ１６に蓄積された計測データ群から必要な計測データを抽出して、ＣＳＶ形式やＸＭＬ形式などの指定の形式で情報を作成して提供する。この場合、本実施形態では、サーバ２１は作成した情報を保存し、ＰＣ３１から要求された情報を作成するときに、保存している情報を再利用できるときには当該保存している情報を加工して提供する。即ち、ＰＣ３１から要求された情報を提供する場合に、必要な計測データを全てＤＢ１から抽出して新規に作成するのではなく、再利用できる情報の中で更新すべき計測データのみを抽出して情報加工処理を行なう。これにより、サーバ２１の情報提供処理の効率化を図ることができる。
【００２７】
以上要するに、本実施形態の監視システムであれば、ネットワーク３０を介してコンピュータ３１を操作するだけで、例えばビル内の環境に関する情報を容易に入手することが可能となる。また、監視システム側は、要求された情報を新規に作成するだけでなく、既存の情報を再利用して作成する情報加工処理により情報を効率的に作成し、外部のコンピュータ３１に提供することが可能となる。
【００２８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本発明の実施形態に関する監視システムの要部を示すブロック図。
【図２】本実施形態に関する監視システムの動作を説明するためのフローチャート。
【図３】本実施形態に関するサーバにより提供される情報の一例を示す図。
【符号の説明】
【００３０】
１０…監視システム、１１…統合コントロール装置、１２…インターフェース、
１３…ローカルコントローラ、１４ａ，１４ｂ…リモート入出力装置（ＲＩＯ）、
１５ａ，１５ｂ…機器、２０…ローカルエリアネットワーク（ＬＡＮ）、
２１…サーバ、３０…ネットワーク、３１…コンピュータ（ＰＣ）。
【図１】
2010092362.tif 000003
【図２】
2010092362.tif 000004
【図３】
2010092362.tif 000005